(57)【特許請求の範囲】
【請求項１】
車両に搭載可能な無線装置であって、
他の無線装置からのパケット信号であって、かつ当該他の無線装置が搭載される他の車両の位置情報を少なくとも含んだパケット信号を受信する受信部と、
本無線装置が搭載される車両の位置情報を取得する取得部と、
前記取得部において取得した位置情報と、前記受信部において受信したパケット信号に含まれた位置情報とをもとに、車両と他の車両との間の衝突あるいは非衝突を仮判定する第１判定部と、
前記第１判定部における仮判定結果を過去にわたって複数集めて、車両と他の車両との間の衝突あるいは非衝突を判定する第２判定部と、
を備え、
前記第２判定部は、（１）過去の判定結果が非衝突である場合に、複数の衝突の仮判定結果が第１条件を満たすと、判定結果を衝突に変更し、（２）過去の判定結果が衝突である場合に、複数の非衝突の仮判定結果が第２条件を満たすと、判定結果を非衝突に変更することを特徴とする無線装置。
【請求項２】
前記第２判定部は、第１条件として、過去の判定結果が非衝突である場合に、衝突の仮判定結果がＮ回連続を超えると、判定結果を衝突に変更するように設定され、第２条件として、過去の判定結果が衝突である場合に、非衝突の仮判定結果がＭ回連続を超えると、判定結果を非衝突に変更するように設定されることを特徴とする請求項１に記載の無線装置。
【請求項３】
前記第２判定部は、第１条件として、過去の判定結果が非衝突である場合に、複数の仮判定結果に含まれる衝突の割合が第１しきい値より大きくなると、判定結果を衝突に変更するように設定され、第２条件として、過去の判定結果が衝突である場合に、複数の仮判定結果に含まれる非衝突の割合が第２しきい値より大きくなると、判定結果を非衝突に変更するように設定されることを特徴とする請求項１に記載の無線装置。
【請求項４】
車両に搭載可能な無線装置において受信した他の無線装置からのパケット信号であって、かつ当該他の無線装置が搭載される他の車両の位置情報を少なくとも含んだパケット信号に含まれた位置情報と、本無線装置が搭載される車両の位置情報とをもとになされた車両と他の車両との間の衝突あるいは非衝突の仮判定結果を取得する取得部と、
前記取得部において取得した仮判定結果を過去にわたって複数集めて、車両と他の車両との間の衝突あるいは非衝突を判定する判定部と、
を備え、
前記判定部は、（１）過去の判定結果が非衝突である場合に、複数の衝突の仮判定結果が第１条件を満たすと、判定結果を衝突に変更し、（２）過去の判定結果が衝突である場合に、複数の非衝突の仮判定結果が第２条件を満たすと、判定結果を非衝突に変更することを特徴とする処理装置。
【請求項５】
前記取得部は、
車両に搭載可能な無線装置において受信した他の無線装置からのパケット信号であって、かつ当該他の無線装置が搭載される他の車両の位置情報を少なくとも含んだパケット信号に含まれた位置情報と、本無線装置が搭載される車両の位置情報とを入力する入力部と、
パケット信号に含まれた位置情報と、本無線装置が搭載される車両の位置情報とをもとに、車両と他の車両との間の衝突あるいは非衝突を仮判定する仮判定部と、
を備えることを特徴とする請求項４に記載の処理装置。
【請求項６】
前記判定部は、第１条件として、過去の判定結果が非衝突である場合に、衝突の仮判定結果がＮ回連続を超えると、判定結果を衝突に変更するように設定され、第２条件として、過去の判定結果が衝突である場合に、非衝突の仮判定結果がＭ回連続を超えると、判定結果を非衝突に変更するように設定されることを特徴とする請求項４または５に記載の処理装置。
【請求項７】
前記判定部は、第１条件として、過去の判定結果が非衝突である場合に、複数の仮判定結果に含まれる衝突の割合が第１しきい値より大きくなると、判定結果を衝突に変更するように設定され、第２条件として、過去の判定結果が衝突である場合に、複数の仮判定結果に含まれる非衝突の割合が第２しきい値より大きくなると、判定結果を非衝突に変更するように設定されることを特徴とする請求項４または５に記載の処理装置。
【請求項８】
車両に搭載可能な無線装置と、
前記無線装置に接続された処理装置とを備え、
前記無線装置は、
他の無線装置からのパケット信号であって、かつ当該他の無線装置が搭載される他の車両の位置情報を少なくとも含んだパケット信号を受信する受信部と、
本無線装置が搭載される車両の位置情報を取得する取得部とを備え、
前記無線装置あるいは前記処理装置は、
前記取得部において取得した位置情報と、前記受信部において受信したパケット信号に含まれた位置情報とをもとに、車両と他の車両との間の衝突あるいは非衝突を仮判定する第１判定部とを備え、
前記処理装置は、
前記第１判定部における仮判定結果を過去にわたって複数集めて、車両と他の車両との間の衝突あるいは非衝突を判定する第２判定部とを備え、
前記第２判定部は、（１）過去の判定結果が非衝突である場合に、複数の衝突の仮判定結果が第１条件を満たすと、判定結果を衝突に変更し、（２）過去の判定結果が衝突である場合に、複数の非衝突の仮判定結果が第２条件を満たすと、判定結果を非衝突に変更することを特徴とする処理システム。
【請求項９】
前記第２判定部は、第１条件として、過去の判定結果が非衝突である場合に、衝突の仮判定結果がＮ回連続を超えると、判定結果を衝突に変更するように設定され、第２条件として、過去の判定結果が衝突である場合に、非衝突の仮判定結果がＭ回連続を超えると、判定結果を非衝突に変更するように設定されることを特徴とする請求項８に記載の処理システム。
【請求項１０】
前記第２判定部は、第１条件として、過去の判定結果が非衝突である場合に、複数の仮判定結果に含まれる衝突の割合が第１しきい値より大きくなると、判定結果を衝突に変更するように設定され、第２条件として、過去の判定結果が衝突である場合に、複数の仮判定結果に含まれる非衝突の割合が第２しきい値より大きくなると、判定結果を非衝突に変更するように設定されることを特徴とする請求項８に記載の処理システム。
【発明の詳細な説明】
【技術分野】
【０００１】
本発明は、通信技術に関し、特に所定の情報が含まれた信号を受信する無線装置、処理装置、及び処理システムに関する。
【背景技術】
【０００２】
車両間無線通信装置は、走行中の車両相互間で通信して走行状態等の車両の情報を交換する。車両間無線通信装置は、到来した情報信号を受信し、本車両の予測到達地点の近傍に、本車両とほぼ同時に到達すると推定される他の車両の存在を情報信号に基づいて検知し、その検知した他の車両の存在を告知する（例えば、特許文献１参照）。
【先行技術文献】
【特許文献】
【０００３】
【特許文献１】特開２０００−３４８２９９号公報
【発明の概要】
【発明が解決しようとする課題】
【０００４】
本車両と他の車両の進路が交差するか否かを一定周期で判定する場合、両者の相対的な位置によっては、衝突と非衝突との判定が頻繁に変更される。その結果、運転者への通知内容が頻繁に変更され、運転者への十分な支援が提供されない。
【０００５】
本発明はこうした状況に鑑みてなされたものであり、その目的は、運転者への支援を安定させる技術を提供することにある。
【課題を解決するための手段】
【０００６】
上記課題を解決するために、本発明のある態様の無線装置は、車両に搭載可能な無線装置であって、他の無線装置からのパケット信号であって、かつ当該他の無線装置が搭載される他の車両の位置情報を少なくとも含んだパケット信号を受信する受信部と、本無線装置が搭載される車両の位置情報を取得する取得部と、取得部において取得した位置情報と、受信部において受信したパケット信号に含まれた位置情報とをもとに、車両と他の車両との間の衝突あるいは非衝突を仮判定する第１判定部と、第１判定部における仮判定結果を過去にわたって複数集めて、車両と他の車両との間の衝突あるいは非衝突を判定する第２判定部と、を備える。
【０００７】
本発明の別の態様は、処理装置である。この処理装置は、車両に搭載可能な無線装置において受信した他の無線装置からのパケット信号であって、かつ当該他の無線装置が搭載される他の車両の位置情報を少なくとも含んだパケット信号に含まれた位置情報と、本無線装置が搭載される車両の位置情報とをもとになされた車両と他の車両との間の衝突あるいは非衝突の仮判定結果を取得する取得部と、取得部において取得した仮判定結果を過去にわたって複数集めて、車両と他の車両との間の衝突あるいは非衝突を判定する判定部と、を備える。
【０００８】
本発明のさらに別の態様は、処理システムである。この処理システムは、車両に搭載可能な無線装置と、無線装置に接続された処理装置とを備える。無線装置は、他の無線装置からのパケット信号であって、かつ当該他の無線装置が搭載される他の車両の位置情報を少なくとも含んだパケット信号を受信する受信部と、本無線装置が搭載される車両の位置情報を取得する取得部とを備える。無線装置あるいは処理装置は、取得部において取得した位置情報と、受信部において受信したパケット信号に含まれた位置情報とをもとに、車両と他の車両との間の衝突あるいは非衝突を仮判定する第１判定部とを備える。処理装置は、第１判定部における仮判定結果を過去にわたって複数集めて、車両と他の車両との間の衝突あるいは非衝突を判定する第２判定部とを備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、運転者への支援を安定できる。
【図面の簡単な説明】
【００１１】
【図１】本発明の実施例１に係る通信システムの構成を示す図である。
【図２】図１の基地局装置の構成を示す図である。
【図３】図３（ａ）−（ｄ）は、図１の通信システムにおいて規定されるフレームのフォーマットを示す図である。
【図４】図１の端末装置の構成を示す図である。
【図５】図４の第２判定部に記憶される管理リストのデータ構造を示す図である。
【図６】図６（ａ）−（ｂ）は、図４の端末装置での仮判定結果、判定結果を示す図である。
【図７】図４の端末装置による判定手順を示すフローチャートである。
【図８】図４の端末装置による更新手順を示すフローチャートである。
【図９】図４の端末装置による別の更新手順を示すフローチャートである。
【図１０】本発明の実施例３に係る処理システムの構成を示す図である。
【図１１】本発明の実施例３に係る処理システムの別の構成を示す図である。
【図１２】本発明の実施例３に係る処理システムのさらに別の構成を示す図である。
【発明を実施するための形態】
【００１２】
（実施例１）
本発明の実施例を具体的に説明する前に、基礎となった知見を説明する。本発明の実施例１は、車両に搭載された端末装置間において車車間通信を実行するとともに、交差点等に設置された基地局装置から端末装置へ路車間通信も実行する通信システムに関する。このような通信システムは、ＩＴＳ（Ｉｎｔｅｌｌｉｇｅｎｔ  Ｔｒａｎｓｐｏｒｔ  Ｓｙｓｔｅｍｓ）とも呼ばれる。通信システムは、ＩＥＥＥ８０２．１１等の規格に準拠した無線ＬＡＮ（Ｌｏｃａｌ  Ａｒｅａ  Ｎｅｔｗｏｒｋ）と同様に、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）と呼ばれるアクセス制御機能を使用する。そのため、複数の端末装置によって同一の無線チャネルが共有される。一方、ＩＴＳでは、不特定多数の端末装置へ情報を送信する必要がある。そのような送信を効率的に実行するために、本通信システムは、パケット信号をブロードキャスト送信する。
【００１３】
つまり、車車間通信として、端末装置は、車両の速度あるいは位置等の情報を格納したパケット信号をブロードキャスト送信する。また、他の端末装置は、パケット信号を受信するとともに、前述の情報をもとに車両の接近等を認識する。ここで、路車間通信と車車間通信との干渉を低減するために、基地局装置は、複数のサブフレームが含まれたフレームを繰り返し規定する。基地局装置は、路車間通信のために、複数のサブフレームのいずれかを選択し、選択したサブフレームの先頭部分の期間において、制御情報等が格納されたパケット信号をブロードキャスト送信する。
【００１４】
制御情報には、当該基地局装置がパケット信号をブロードキャスト送信するための期間（以下、「路車送信期間」という）に関する情報が含まれている。端末装置は、制御情報をもとに路車送信期間を特定し、路車送信期間以外の期間（以下、「車車送信期間」という）においてＣＳＭＡ方式にてパケット信号をブロードキャスト送信する。その結果、路車間通信と車車間通信とが時分割多重される。なお、基地局装置からの制御情報を受信できない端末装置、つまり基地局装置によって形成されたエリアの外に存在する端末装置は、フレームの構成に関係なくＣＳＭＡ方式にてパケット信号を送信する。
【００１５】
端末装置と他の端末装置とのそれぞれが配置される位置によっては、衝突の判定と、非衝突の判定とが頻繁に変更される。運転者にとっては、判定結果が頻繁に変わると、安定した支援を受けられなくなる。これに対応するために、実施例１に係る端末装置は、これまでどおりに、衝突あるいは非衝突を仮判定する。また、端末装置は、それまでの判定結果とは異なった仮の判定結果が複数回連続した場合に、当該仮の判定結果を判定結果に変更する。例えば、判定結果が非衝突であった場合に、衝突の仮の判定結果が複数回連続した場合に、端末装置は、判定結果を衝突に変更する。
【００１６】
図１は、本発明の実施例１に係る通信システム１００の構成を示す。これは、ひとつの交差点を上方から見た場合に相当する。通信システム１００は、基地局装置１０、車両１２と総称される第１車両１２ａ、第２車両１２ｂ、第３車両１２ｃ、第４車両１２ｄ、第５車両１２ｅ、第６車両１２ｆ、第７車両１２ｇ、第８車両１２ｈ、ネットワーク２０２を含む。ここでは、第１車両１２ａのみに示しているが、各車両１２には、端末装置１４が搭載されている。また、エリア２１２が、基地局装置１０の周囲に形成され、エリア外２１４が、エリア２１２の外側に形成されている。
【００１７】
図示のごとく、図面の水平方向、つまり左右の方向に向かう道路と、図面の垂直方向、つまり上下の方向に向かう道路とが中心部分で交差している。ここで、図面の上側が方角の「北」に相当し、左側が方角の「西」に相当し、下側が方角の「南」に相当し、右側が方角の「東」に相当する。また、ふたつの道路の交差部分が「交差点」である。第１車両１２ａ、第２車両１２ｂが、左から右へ向かって進んでおり、第３車両１２ｃ、第４車両１２ｄが、右から左へ向かって進んでいる。また、第５車両１２ｅ、第６車両１２ｆが、上から下へ向かって進んでおり、第７車両１２ｇ、第８車両１２ｈが、下から上へ向かって進んでいる。
【００１８】
通信システム１００において、基地局装置１０は、交差点に固定して設置される。基地局装置１０は、端末装置間の通信を制御する。基地局装置１０は、図示しないＧＰＳ（Ｇｌｏｂａｌ  Ｐｏｓｉｔｉｏｎｉｎｇ  Ｓｙｓｔｅｍ）衛星から受信した信号、あるいは図示しない他の基地局装置１０にて形成されたフレームをもとに、複数のサブフレームが含まれたフレームを繰り返し生成する。ここで、各サブフレームの先頭部分に路車送信期間が設定可能であるような規定がなされている。
【００１９】
基地局装置１０は、フレーム中の複数のサブフレームのうち、他の基地局装置１０によって路車送信期間が設定されていないサブフレームを選択する。基地局装置１０は、選択したサブフレームの先頭部分に路車送信期間を設定する。基地局装置１０は、設定した路車送信期間においてパケット信号を報知する。路車送信期間において、複数のパケット信号が報知されることもある。また、パケット信号には、例えば、事故情報、渋滞情報、信号情報等が含まれる。なお、パケット信号には、路車送信期間が設定されたタイミングに関する情報およびフレームに関する制御情報も含まれる。
【００２０】
端末装置１４は、前述のごとく、車両１２に搭載され移動可能である。端末装置１４は、基地局装置１０からのパケット信号を受信すると、エリア２１２に存在すると推定する。端末装置１４は、エリア２１２に存在する場合、パケット信号に含まれた制御情報、特に路車送信期間が設定されたタイミングに関する情報およびフレームに関する情報をもとに、フレームを生成する。その結果、複数の端末装置１４のそれぞれにおいて生成されるフレームは、基地局装置１０において生成されるフレームに同期する。端末装置１４は、路車送信期間とは異なった期間である車車送信期間においてパケット信号を報知する。ここで、車車送信期間においてＣＳＭＡ／ＣＡが実行される。一方、端末装置１４は、エリア外２１４に存在していると推定した場合、フレームの構成に関係なく、ＣＳＭＡ／ＣＡを実行することによって、パケット信号を報知する。端末装置１４は、他の端末装置１４からのパケット信号をもとに、他の端末装置１４が搭載された車両１２の接近を認識する。当該認識の詳細は後述する。
【００２１】
図２は、基地局装置１０の構成を示す。基地局装置１０は、アンテナ２０、ＲＦ部２２、変復調部２４、処理部２６、制御部２８、ネットワーク通信部３０を含む。また、処理部２６は、フレーム規定部３２、選択部３４、生成部３６を含む。
【００２２】
ＲＦ部２２は、受信処理として、図示しない端末装置１４あるいは他の基地局装置１０からのパケット信号をアンテナ２０にて受信する。ＲＦ部２２は、受信した無線周波数のパケット信号に対して周波数変換を実行し、ベースバンドのパケット信号を生成する。さらに、ＲＦ部２２は、ベースバンドのパケット信号を変復調部２４に出力する。一般的に、ベースバンドのパケット信号は、同相成分と直交成分によって形成されるので、ふたつの信号線が示されるべきであるが、ここでは、図を明瞭にするためにひとつの信号線だけを示すものとする。ＲＦ部２２には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００２３】
ＲＦ部２２は、送信処理として、変復調部２４から入力したベースバンドのパケット信号に対して周波数変換を実行し、無線周波数のパケット信号を生成する。さらに、ＲＦ部２２は、路車送信期間において、無線周波数のパケット信号をアンテナ２０から送信する。また、ＲＦ部２２には、ＰＡ（Ｐｏｗｅｒ  Ａｍｐｌｉｆｉｅｒ）、ミキサ、Ｄ／Ａ変換部も含まれる。
【００２４】
変復調部２４は、受信処理として、ＲＦ部２２からのベースバンドのパケット信号に対して、復調を実行する。さらに、変復調部２４は、復調した結果を処理部２６に出力する。また、変復調部２４は、送信処理として、処理部２６からのデータに対して、変調を実行する。さらに、変復調部２４は、変調した結果をベースバンドのパケット信号としてＲＦ部２２に出力する。ここで、通信システム１００は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式に対応するので、変復調部２４は、受信処理としてＦＦＴ（Ｆａｓｔ  Ｆｏｕｒｉｅｒ  Ｔｒａｎｓｆｏｒｍ）も実行し、送信処理としてＩＦＦＴ（Ｉｎｖｅｒｓｅ  Ｆａｓｔ  Ｆｏｕｒｉｅｒ  Ｔｒａｎｓｆｏｒｍ）も実行する。
【００２５】
フレーム規定部３２は、図示しないＧＰＳ衛星からの信号を受信し、受信した信号をもとに時刻の情報を取得する。なお、時刻の情報の取得には公知の技術が使用されればよいので、ここでは説明を省略する。フレーム規定部３２は、時刻の情報をもとに、複数のフレームを生成する。例えば、フレーム規定部３２は、時刻の情報にて示されたタイミングを基準にして、「１ｓｅｃ」の期間を１０分割することによって、「１００ｍｓｅｃ」のフレームを１０個生成する。このような処理を繰り返すことによって、フレームが繰り返されるように規定される。なお、フレーム規定部３２は、復調結果から制御情報を検出し、検出した制御情報をもとにフレームを生成してもよい。このような処理は、他の基地局装置１０によって形成されたフレームのタイミングに同期したフレームを生成することに相当する。
【００２６】
図３（ａ）−（ｄ）は、通信システム１００において規定されるフレームのフォーマットを示す。図３（ａ）は、フレームの構成を示す。フレームは、第１サブフレームから第Ｎサブフレームと示されるＮ個のサブフレームによって形成されている。これは、端末装置１４が報知に使用可能なサブフレームを複数時間多重することによってフレームが形成されているといえる。例えば、フレームの長さが１００ｍｓｅｃであり、Ｎが８である場合、１２．５ｍｓｅｃの長さのサブフレームが規定される。Ｎは、８以外であってもよい。図３（ｂ）−（ｄ）の説明は、後述し、図２に戻る。
【００２７】
選択部３４は、フレームに含まれた複数のサブフレームのうち、路車送信期間を設定すべきサブフレームを選択する。具体的に説明すると、選択部３４は、フレーム規定部３２にて規定されたフレームを受けつける。また、選択部３４は、図示しないインターフェイスを介して、選択したサブフレームに関する指示を受けつける。選択部３４は、指示に対応したサブフレームを選択する。これとは別に、選択部３４は、自動的にサブフレームを選択してもよい。その際、選択部３４は、ＲＦ部２２、変復調部２４を介して、図示しない他の基地局装置１０あるいは端末装置１４からの復調結果を入力する。選択部３４は、入力した復調結果のうち、他の基地局装置１０からの復調結果を抽出する。選択部３４は、復調結果を受けつけたサブフレームを特定することによって、復調結果を受けつけていないサブフレームを特定する。
【００２８】
これは、他の基地局装置１０によって路車送信期間が設定されていないサブフレーム、つまり未使用のサブフレームを特定することに相当する。未使用のサブフレームが複数存在する場合、選択部３４は、ランダムにひとつのサブフレームを選択する。未使用のサブフレームが存在しない場合、つまり複数のサブフレームのそれぞれが使用されている場合に、選択部３４は、復調結果に対応した受信電力を取得し、受信電力の小さいサブフレームを優先的に選択する。
【００２９】
図３（ｂ）は、図示しない第１基地局装置１０ａによって生成されるフレームの構成を示す。第１基地局装置１０ａは、第１サブフレームの先頭部分に路車送信期間を設定する。また、第１基地局装置１０ａは、第１サブフレームにおいて路車送信期間につづいて車車送信期間を設定する。車車送信期間とは、端末装置１４がパケット信号を報知可能な期間である。つまり、第１基地局装置１０ａは、第１サブフレームの先頭期間である路車送信期間においてパケット信号を報知可能であり、かつフレームのうち、路車送信期間以外の車車送信期間において端末装置１４がパケット信号を報知可能であるような規定がなされる。さらに、第１基地局装置１０ａは、第２サブフレームから第Ｎサブフレームに車車送信期間のみを設定する。
【００３０】
図３（ｃ）は、図示しない第２基地局装置１０ｂによって生成されるフレームの構成を示す。第２基地局装置１０ｂは、第２サブフレームの先頭部分に路車送信期間を設定する。また、第２基地局装置１０ｂは、第２サブフレームにおける路車送信期間の後段、第１サブフレーム、第３サブフレームから第Ｎサブフレームに車車送信期間を設定する。図３（ｄ）は、図示しない第３基地局装置１０ｃによって生成されるフレームの構成を示す。第３基地局装置１０ｃは、第３サブフレームの先頭部分に路車送信期間を設定する。また、第３基地局装置１０ｃは、第３サブフレームにおける路車送信期間の後段、第１サブフレーム、第２サブフレーム、第４サブフレームから第Ｎサブフレームに車車送信期間を設定する。このように、複数の基地局装置１０は、互いに異なったサブフレームを選択し、選択したサブフレームの先頭部分に路車送信期間を設定する。図２に戻る。選択部３４は、選択したサブフレームの番号を生成部３６へ出力する。
【００３１】
生成部３６は、選択部３４から、サブフレームの番号を受けつける。生成部３６は、受けつけたサブフレーム番号のサブフレームに路車送信期間を設定し、路車送信期間において報知すべきパケット信号を生成する。ひとつの路車送信期間において複数のパケット信号が送信される場合、生成部３６は、それらを生成する。パケット信号は、制御情報、ペイロードによって構成されている。制御情報には、路車送信期間を設定したサブフレーム番号等が含まれる。また、ペイロードには、例えば、事故情報、渋滞情報、信号情報等が含まれる。これらのデータは、ネットワーク通信部３０によって、図示しないネットワーク２０２から取得される。処理部２６は、変復調部２４、ＲＦ部２２に対して、路車送信期間においてパケット信号をブロードキャスト送信させる。制御部２８は、基地局装置１０全体の処理を制御する。
【００３２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３３】
図４は、端末装置１４の構成を示す。端末装置１４は、アンテナ５０、ＲＦ部５２、変復調部５４、処理部５６、制御部５８を含む。処理部５６は、タイミング特定部６０、転送決定部６２、位置情報取得部６４、生成部６６、第１判定部７６、第２判定部７８、通知部７０を含み、タイミング特定部６０は、抽出部７２、キャリアセンス部７４を含む。端末装置１４は、前述のごとく、車両１２に搭載可能である。アンテナ５０、ＲＦ部５２、変復調部５４は、図２のアンテナ２０、ＲＦ部２２、変復調部２４と同様の処理を実行する。ここでは差異を中心に説明する。
【００３４】
変復調部５４、処理部５６は、受信処理において、図示しない他の端末装置１４あるいは基地局装置１０からのパケット信号を受信する。なお、前述のごとく、変復調部５４、処理部５６は、路車送信期間において、基地局装置１０からのパケット信号を受信し、車車送信期間において、他の端末装置１４からのパケット信号を受信する。他の端末装置１４からのパケット信号には、当該他の端末装置１４が搭載される他の車両１２の存在位置、進行方向、移動速度等（以下、「位置情報」と総称する）が少なくとも含まれる。他の端末装置１４における位置情報の取得には公知の技術が使用されればよいので、ここでは説明を省略する。
【００３５】
抽出部７２は、変復調部５４からの復調結果が、図示しない基地局装置１０からのパケット信号である場合に、路車送信期間が配置されたサブフレームのタイミングを特定する。その際、抽出部７２は、図１のエリア２１２内に存在すると推定する。抽出部７２は、サブフレームのタイミングと、パケット信号のメッセージヘッダの内容、具体的には、路車送信期間長の内容をもとに、フレームを生成する。なお、フレームの生成は、前述のフレーム規定部３２と同様になされればよいので、ここでは説明を省略する。その結果、抽出部７２は、基地局装置１０において形成されたフレームに同期したフレームを生成する。パケット信号の報知元が、他の端末装置１４である場合、抽出部７２は、同期したフレームの生成処理を省略するが、パケット信号に含まれた位置情報を抽出し、位置情報を第１判定部７６へ出力する。
【００３６】
一方、抽出部７２は、基地局装置１０からのパケット信号を受信していない場合、図１のエリア外２１４に存在すると推定する。抽出部７２は、エリア２１２に存在していることを推定した場合、車車送信期間を選択する。抽出部７２は、エリア外２１４に存在していることを推定すると、フレームの構成と無関係のタイミングを選択する。抽出部７２は、車車送信期間を選択した場合、フレームおよびサブフレームのタイミング、車車送信期間に関する情報をキャリアセンス部７４へ出力する。抽出部７２は、フレームの構成と無関係のタイミングを選択すると、キャリアセンスの実行をキャリアセンス部７４に指示する。
【００３７】
キャリアセンス部７４は、抽出部７２から、フレームおよびサブフレームのタイミング、車車送信期間に関する情報を受けつける。キャリアセンス部７４は、車車送信期間内でＣＳＭＡ／ＣＡを開始することによって送信タイミングを決定する。一方、キャリアセンス部７４は、抽出部７２から、フレームの構成に関係のないキャリアセンスの実行を指示された場合、フレームの構成を考慮せずに、ＣＳＭＡ／ＣＡを実行することによって、送信タイミングを決定する。キャリアセンス部７４は、決定した送信タイミングを変復調部５４、ＲＦ部５２へ通知し、パケット信号をブロードキャスト送信させる。
【００３８】
転送決定部６２は、制御情報の転送を制御する。転送決定部６２は、制御情報のうち、転送対象となる情報を抽出する。転送決定部６２は、抽出した情報をもとに、転送すべき情報を生成する。ここでは、この処理の説明を省略する。転送決定部６２は、転送すべき情報、つまり制御情報のうちの一部を生成部６６に出力する。
【００３９】
位置情報取得部６４は、図示しないＧＰＳ受信機、ジャイロスコープ、車速センサ等を含んでおり、それらから供給されるデータによって、図示しない車両１２、つまり端末装置１４が搭載された車両１２の存在位置、進行方向、移動速度等（前述のごとく、「位置情報」と総称する）を取得する。なお、存在位置は、緯度・経度によって示される。これらの取得には公知の技術が使用されればよいので、ここでは説明を省略する。位置情報取得部６４は、位置情報を生成部６６、第１判定部７６へ出力する。
【００４０】
生成部６６は、位置情報取得部６４から位置情報を受けつけ、転送決定部６２から制御情報の一部を受けつける。生成部６６は、これらが含まれたパケット信号を生成するとともに、キャリアセンス部７４において決定した送信タイミングにて、変復調部５４、ＲＦ部５２、アンテナ５０を介して、生成したパケット信号をブロードキャスト送信する。これは、車車間通信に相当する。
【００４１】
第１判定部７６は、位置情報取得部６４からの位置情報を入力するとともに、抽出部７２からの位置情報を入力する。前者が他の車両１２の位置情報に相当し、後者が本車両１２の位置情報に相当する。第１判定部７６は、本車両１２の位置情報と、他の車両１２の位置情報とをもとに、本車両１２と他の車両１２との間の衝突あるいは非衝突を仮判定する。衝突あるいは非衝突の仮判定には、公知の技術が使用されればよい。例えば、本車両１２の現在の存在位置から、進行方向と移動速度を考慮して、将来の存在位置が推定されるとともに、他の車両１２の現在の存在位置から、進行方向と移動速度を考慮して、将来の存在位置が推定される。第１判定部７６は、両者の将来の存在位置が近接する場合、衝突と仮判定し、それ以外の場合、非衝突と仮判定する。近接は、両者の将来の存在位置がしきい値よりも近づく場合に相当し、非近接は、それ以外の場合に相当する。このような仮判定は、定期的、例えば、フレーム周期の１００ｍｓｅｃ間隔でなされる。第１判定部７６は、仮判定結果を第２判定部７８へ出力する。
【００４２】
第２判定部７８は、第１判定部７６からの仮判定結果を入力する。第２判定部７８は、仮判定結果を過去にわたって複数集めて、車両１２と他の車両１２との間の衝突あるいは非衝突を判定する。具体的に説明すると、第２判定部７８は、過去の判定結果が「非衝突」である場合に、衝突の仮判定結果がＮ回連続を超えると、判定結果を「衝突」に変更する。一方、第２判定部７８は、過去の判定結果が「衝突」である場合に、非衝突の仮判定結果がＭ回連続を超えると、判定結果を「非衝突」に変更する。ここで、「Ｎ」は、「Ｍ」よりも小さいとする。例えば、Ｎ＝３、Ｍ＝４である。これは、フェールセーフの観点で、衝突（＝支援が発生）と判定されやすいようにするためである。
【００４３】
このような判定を実行するに当たって、第２判定部７８は、仮判定結果をテーブル（以下、「管理リスト」という）にまとめる。つまり、第２判定部７８は、仮判定結果を入力すると、管理リストを更新する。更新リストが前述の条件を満たした場合に、第２判定部７８は、判定結果を変更する。
【００４４】
図５は、第２判定部７８に記憶される管理リストのデータ構造を示す。「ＩＤ」は、他の車両１２を識別するための識別番号を示し、「更新フラグ」は、１００ｍｓｅｃ間隔での更新がなされたか否かを示す。「瞬時判定結果」は、第１判定部７６における最新の仮判定結果を示し、「衝突」あるいは「非衝突」となる。また、「衝突判定連続数」は、衝突の仮判定結果が連続した回数を示し、「非衝突判定連続数」は、非衝突の仮判定結果が連続した回数を示し、「安定化後判定結果」は、判定結果を示す。
【００４５】
図６（ａ）−（ｂ）は、端末装置１４での仮判定結果、判定結果を示す。特に、図６（ａ）は、第１判定部７６での仮判定結果を示す。図６（ｂ）は、Ｎ＝３、Ｍ＝４とした場合の第２判定部７８での判定結果を示す。図４に戻る。第２判定部７８は、判定結果を通知部７０に出力する。
【００４６】
通知部７０は、図示しないディスプレイなどに、受信したパケット信号の内容を表示する。通知部７０は、第２判定部７８からの判定結果を入力する。通知部７０は、モニタあるいはスピーカを介して、判定結果を運転者に通知する。さらに、通知部７０は、基地局装置１０からのパケット信号に含まれた情報も運転者へモニタやスピーカを介して通知する。
【００４７】
以上の構成による通信システム１００の動作を説明する。図７は、端末装置１４による判定手順を示すフローチャートである。位置情報取得部６４は、自車情報（位置・速度・進行方向）を取得し（Ｓ１０）、抽出部７２は、他車情報（位置・速度・進行方向）を取得する（Ｓ１２）。第１判定部７６は、衝突仮判定を実行する（Ｓ１４）。第２判定部７８は、管理リストに当該車両の情報が存在している場合（Ｓ１６のＹ）、管理リストの当該車両の情報を更新する（Ｓ１８）。一方、第２判定部７８は、管理リストに当該車両の情報が存在していない場合（Ｓ１６のＮ）、管理リストに車両の情報を追加する（Ｓ２０）。これは、判定結果に衝突仮判定結果を入れ、衝突仮判定連続数に「０」を入れ、非衝突仮判定連続数に「０」を入れ、安定化後判定結果に衝突仮判定結果を入れ、更新フラグに「済」を登録することに相当する。さらに、第２判定部７８は、管理リストにあるが、パケット信号を受信していない車両の情報を更新する（Ｓ２２）。第２判定部７８は、管理リストの全更新フラグを「未」に更新する（Ｓ２６）。処理続行であれば（Ｓ２６のＹ）、ステップ１０に戻る。処理続行でなければ（Ｓ２６のＮ）、処理は終了される。
【００４８】
図８は、端末装置１４による更新手順を示すフローチャートである。これは、図７のステップ１８の処理に相当する。衝突仮判定結果が安定化後判定結果である場合（Ｓ５０のＹ）、第２判定部７８は、判定結果に衝突仮判定結果を入れ、更新フラグを「済」に変更するように、管理リストを更新する（Ｓ５２）。安定化後判定結果は、これまでの判定結果に相当する。衝突仮判定結果が安定化後判定結果でない場合（Ｓ５０のＮ）、衝突仮判定結果が衝突であり（Ｓ５４のＹ）、衝突仮判定連続数＋１＞Ｎであれば（Ｓ５６のＹ）、第２判定部７８は、管理リストを更新する（Ｓ５８）。具体的に説明すると、第２判定部７８は、衝突仮判定連続数を「０」にし、非衝突仮判定連続数を「０」にし、安定化後判定結果を「衝突」にし、更新フラグを「済」に変更する。衝突仮判定連続数＋１＞Ｎでなければ（Ｓ５６のＮ）、第２判定部７８は、衝突仮判定連続数に１を加算し、更新フラグを「済」に変更するように、管理リストを更新する（Ｓ６０）。
【００４９】
衝突仮判定結果が衝突でない場合（Ｓ５４のＮ）、非衝突仮判定連続数＋１＞Ｍであれば（Ｓ６２のＹ）、第２判定部７８は、管理リストを更新する（Ｓ６４）。具体的に説明すると、第２判定部７８は、衝突仮判定連続数を「０」にし、非衝突仮判定連続数を「０」にし、安定化後判定結果を「非衝突」にし、更新フラグを「済」に変更する。非衝突仮判定連続数＋１＞Ｍでなければ（Ｓ６２のＮ）、第２判定部７８は、非衝突仮判定連続数に１を加算し、更新フラグを「済」に変更するように、管理リストを更新する（Ｓ６６）。
【００５０】
図９は、端末装置１４による別の更新手順を示すフローチャートである。これは、図７のステップ２２の処理に相当する。安定化後判定結果が衝突である場合（Ｓ８０のＹ）、非衝突仮判定連続数＋１＞Ｍであれば（Ｓ８２のＹ）、第２判定部７８は、管理リストを更新する（Ｓ８４）。具体的に説明すると、第２判定部７８は、衝突仮判定連続数を「０」にし、非衝突仮判定連続数を「０」にし、安定化後判定結果を「非衝突」にし、更新フラグを「済」に変更する。非衝突仮判定連続数＋１＞Ｍでなければ（Ｓ８２のＮ）、第２判定部７８は、非衝突仮判定連続数に１を加算し、更新フラグを「済」に変更するように、管理リストを更新する（Ｓ８６）。安定化後判定結果が衝突でない場合（Ｓ８０のＮ）、第２判定部７８は、当該データを削除するように、管理リストを更新する（Ｓ８８）。
【００５１】
本発明の実施例によれば、複数の仮判定結果が連続して同一である場合に、判定結果を変更するので、判定結果が頻繁に変更される状況を回避できる。また、判定結果が頻繁に変更される状況が回避されるので、運転者への支援を安定させることができる。また、ＭよりもＮを小さくするので、誤って非衝突と判定される状況の発生を抑制できる。また、誤って非衝突と判定される状況の発生が抑制されるので、車両の衝突事故の発生を抑制できる。
【００５２】
（実施例２）
次に、本発明の実施例２を説明する。実施例２も、実施例１と同様に、他の端末装置から受信したパケット信号をもとに、当該他の端末装置が搭載された他の車両との衝突あるいは非衝突を判定する端末装置に関する。実施例１に係る端末装置は、同一の仮の判定結果が連続した場合に、当該仮の判定結果を判定結果としている。一方、実施例２に係る端末装置は、所定回数に含まれる仮の判定結果の割合がしきい値よりも大きくなると、当該仮の判定結果を判定結果とする。実施例２に係る通信システム１００は、図１と同様のタイプであり、実施例２に係る基地局装置１０は、図２と同様のタイプであり、実施例２に係る端末装置１４は、図４と同様のタイプであり、ここでは差異を中心に説明する。
【００５３】
図４において、第２判定部７８は、第１判定部７６からの仮判定結果を入力する。第２判定部７８は、実施例１と同様に、仮判定結果を過去にわたって複数集めて、車両１２と他の車両１２との間の衝突あるいは非衝突を判定する。具体的に説明すると、第２判定部７８は、過去の判定結果が「非衝突」である場合に、複数の仮判定結果に含まれる衝突の割合が第１しきい値より大きくなると、判定結果を「衝突」に変更する。ここで、複数の仮判定結果は、直近の所定回数の仮判定結果である。所定回数は、例えば、「１０」のように設定される。一方、第２判定部７８は、過去の判定結果が「衝突」である場合に、複数の仮判定結果に含まれる非衝突の割合が第２しきい値より大きくなると、判定結果を「非衝突」に変更する。ここで、第１しきい値は第２しきい値よりも小さくされる。
【００５４】
本発明の実施例によれば、所定回数に含まれる同一の仮判定結果の割合が高い場合に判定結果を変更するので、判定結果が頻繁に変更される状況を回避できる。また、第２しきい値よりも第１しきい値を小さくするので、誤って非衝突と判定される状況の発生を抑制できる。
【００５５】
（実施例３）
次に、本発明の実施例３を説明する。実施例３も、実施例１および２と同様に、他の端末装置からのパケット信号を受信する端末装置に関する。実施例１および２では、端末装置が、他の端末装置が搭載された他の車両との衝突あるいは非衝突を判定し、それを通知している。一方、実施例３では、端末装置の外部に備えられた処理装置がこれらの機能を実行する。実施例３に係る通信システム１００は、図１と同様のタイプであり、実施例３に係る基地局装置１０は、図２と同様のタイプであり、ここでは差異を中心に説明する。
【００５６】
図１０は、本発明の実施例３に係る処理システム３００の構成を示す。処理システム３００は、端末装置１４、処理装置３１０を含む。端末装置１４は、アンテナ５０、ＲＦ部５２、変復調部５４、処理部５６、制御部５８を含み、処理部５６は、出力部３２０を含む。処理装置３１０は、取得部３３０、第２判定部７８、通知部７０を含み、取得部３３０は、入力部３３２、第１判定部７６を含む。
【００５７】
端末装置１４と処理装置３１０との間は、有線ケーブル、無線通信等によって接続される。これらの接続には公知の技術が使用されればよいので、ここでは説明を省略する。端末装置１４は、図４の端末装置１４と比較して、第１判定部７６、第２判定部７８、通知部７０を含まない。処理部５６には、出力部３２０が含まれる。出力部３２０は、抽出部７２によって抽出された情報、例えば、パケット信号に含まれた位置情報を処理装置３１０に出力する。また、出力部３２０は、車両１２の位置情報も処理装置３１０に出力する。
【００５８】
処理装置３１０は、カーナビゲーション装置等の車載装置であり、車両１２に搭載される。入力部３３２は、出力部３２０からの情報を受けつけ、受けつけた情報を第１判定部７６に出力する。このような第１判定部７６は、仮判定部ともいえる。第１判定部７６、第２判定部７８、通知部７０での処理内容はこれまでと同様であるので、ここでは説明を省略する。
【００５９】
図１１は、本発明の実施例３に係る処理システム３００の別の構成を示す。処理システム３００は、端末装置１４、処理装置３１０を含む。端末装置１４は、アンテナ５０、ＲＦ部５２、変復調部５４、処理部５６、制御部５８を含み、処理部５６は、第１判定部７６、出力部３２０を含む。処理装置３１０は、取得部３３０、第２判定部７８、通知部７０を含む。
【００６０】
端末装置１４は、図４の端末装置１４と比較して、第２判定部７８、通知部７０を含まない。処理部５６には、第１判定部７６、出力部３２０が含まれる。第１判定部７６は、これまでどおりに仮判定を実行し、仮判定結果を出力部３２０に出力する。出力部３２０は、仮判定結果を処理装置３１０に出力する。取得部３３０は、出力部３２０からの仮判定結果を受けつけ、仮判定結果を第２判定部７８に出力する。第２判定部７８、通知部７０での処理内容はこれまでと同様であるので、ここでは説明を省略する。
【００６１】
図１２は、本発明の実施例３に係る処理システム３００のさらに別の構成を示す。処理システム３００は、端末装置１４、処理装置３１０を含む。端末装置１４は、アンテナ５０、ＲＦ部５２、変復調部５４、処理部５６、制御部５８を含み、処理部５６は、第１判定部７６、第２判定部７８、出力部３２０を含む。処理装置３１０は、通知部７０を含む。
【００６２】
端末装置１４は、図４の端末装置１４と比較して、通知部７０を含まない。処理部５６には、第１判定部７６、第２判定部７８、出力部３２０が含まれる。第１判定部７６、第２判定部７８は、これまでどおりに処理を実行し、判定結果を出力部３２０に出力する。出力部３２０は、判定結果を処理装置３１０に出力する。通知部７０は、出力部３２０からの判定結果を受けつけ、これまでと同様に通知を実行する。
【００６３】
本発明の実施例によれば、第１判定部、第２判定部、通知部を外部の処理装置に設けるので、端末装置の構成を簡易にできる。また、第２判定部、通知部を外部の処理装置に設けるので、端末装置の構成を簡易にできる。また、通知部を外部の処理装置に設けるので、構成の自由度を向上できる。
【００６４】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００６５】
本発明の実施例１、３において、非衝突の判定結果を衝突の判定結果に変更するためのしきい値がＮとして規定される。ここで、Ｎ＝１とされてもよい。本変形例によれば、衝突を早急に通知できる。
【００６６】
本発明の実施例１乃至３において、第２判定部７８は、複数の仮判定結果をもとに、判定結果を決定している。しかしながらこれに限らず例えば、処理の開始時において複数の仮判定結果が収集されていない場合に、第２判定部７８は、仮判定結果をそのまま判定結果として出力してもよい。本変形例によれば、判定結果を早期に出力できる。
【００６７】
本発明の実施例１乃至３において、通信システム１００は、出会い頭衝突防止支援システムに使用されている。しかしながらこれに限らず例えば、通信システム１００は、サービスイン・アウト判定、緊急車両通過支援における経路上判定に使用されてもよい。本変形例によれば、通信システム１００の適用範囲を拡大できる。
【００６８】
本発明の一態様の概要は、次の通りである。本発明のある態様の無線装置は、車両に搭載可能な無線装置であって、他の無線装置からのパケット信号であって、かつ当該他の無線装置が搭載される他の車両の位置情報を少なくとも含んだパケット信号を受信する受信部と、本無線装置が搭載される車両の位置情報を取得する取得部と、取得部において取得した位置情報と、受信部において受信したパケット信号に含まれた位置情報とをもとに、車両と他の車両との間の衝突あるいは非衝突を仮判定する第１判定部と、第１判定部における仮判定結果を過去にわたって複数集めて、車両と他の車両との間の衝突あるいは非衝突を判定する第２判定部と、を備える。
【００６９】
この態様によると、複数の仮判定結果をもとに判定するので、運転者への支援を安定させることができる。
【００７０】
第２判定部は、（１）過去の判定結果が非衝突である場合に、衝突の仮判定結果がＮ回連続を超えると、判定結果を衝突に変更し、（２）過去の判定結果が衝突である場合に、非衝突の仮判定結果がＭ回連続を超えると、判定結果を非衝突に変更し、第２判定部におけるＮは、Ｍよりも小さい。この場合、ＭよりもＮを小さくするので、誤って非衝突と判定される状況の発生を抑制できる。
【００７１】
第２判定部は、（１）過去の判定結果が非衝突である場合に、複数の仮判定結果に含まれる衝突の割合が第１しきい値より大きくなると、判定結果を衝突に変更し、（２）過去の判定結果が衝突である場合に、複数の仮判定結果に含まれる非衝突の割合が第２しきい値より大きくなると、判定結果を非衝突に変更し、第２判定部における第１しきい値は、第２しきい値よりも小さい。この場合、第２しきい値よりも第１しきい値を小さくするので、誤って非衝突と判定される状況の発生を抑制できる。
【００７２】
本発明の別の態様は、処理装置である。この処理装置は、車両に搭載可能な無線装置において受信した他の無線装置からのパケット信号であって、かつ当該他の無線装置が搭載される他の車両の位置情報を少なくとも含んだパケット信号に含まれた位置情報と、本無線装置が搭載される車両の位置情報とをもとになされた車両と他の車両との間の衝突あるいは非衝突の仮判定結果を取得する取得部と、取得部において取得した仮判定結果を過去にわたって複数集めて、車両と他の車両との間の衝突あるいは非衝突を判定する判定部と、を備える。
【００７３】
この態様によると、複数の仮判定結果をもとに判定するので、運転者への支援を安定させることができる。
【００７４】
取得部は、車両に搭載可能な無線装置において受信した他の無線装置からのパケット信号であって、かつ当該他の無線装置が搭載される他の車両の位置情報を少なくとも含んだパケット信号に含まれた位置情報と、本無線装置が搭載される車両の位置情報とを入力する入力部と、パケット信号に含まれた位置情報と、本無線装置が搭載される車両の位置情報とをもとに、車両と他の車両との間の衝突あるいは非衝突を仮判定する仮判定部と、を備えてもよい。この場合、仮判定も実行するので、無線装置の処理を簡易にできる。
【００７５】
判定部は、（１）過去の判定結果が非衝突である場合に、衝突の仮判定結果がＮ回連続を超えると、判定結果を衝突に変更し、（２）過去の判定結果が衝突である場合に、非衝突の仮判定結果がＭ回連続を超えると、判定結果を非衝突に変更し、第２判定部におけるＮは、Ｍよりも小さい。この場合、ＭよりもＮを小さくするので、誤って非衝突と判定される状況の発生を抑制できる。
【００７６】
判定部は、（１）過去の判定結果が非衝突である場合に、複数の仮判定結果に含まれる衝突の割合が第１しきい値より大きくなると、判定結果を衝突に変更し、（２）過去の判定結果が衝突である場合に、複数の仮判定結果に含まれる非衝突の割合が第２しきい値より大きくなると、判定結果を非衝突に変更し、第２判定部における第１しきい値は、第２しきい値よりも小さい。この場合、第２しきい値よりも第１しきい値を小さくするので、誤って非衝突と判定される状況の発生を抑制できる。
【００７７】
本発明のさらに別の態様は、処理システムである。この処理システムは、車両に搭載可能な無線装置と、無線装置に接続された処理装置とを備える。無線装置は、他の無線装置からのパケット信号であって、かつ当該他の無線装置が搭載される他の車両の位置情報を少なくとも含んだパケット信号を受信する受信部と、本無線装置が搭載される車両の位置情報を取得する取得部とを備える。無線装置あるいは処理装置は、取得部において取得した位置情報と、受信部において受信したパケット信号に含まれた位置情報とをもとに、車両と他の車両との間の衝突あるいは非衝突を仮判定する第１判定部とを備える。処理装置は、第１判定部における仮判定結果を過去にわたって複数集めて、車両と他の車両との間の衝突あるいは非衝突を判定する第２判定部とを備える。
【００７８】
この態様によると、複数の仮判定結果をもとに判定するので、運転者への支援を安定させることができる。
【００７９】
第２判定部は、（１）過去の判定結果が非衝突である場合に、衝突の仮判定結果がＮ回連続を超えると、判定結果を衝突に変更し、（２）過去の判定結果が衝突である場合に、非衝突の仮判定結果がＭ回連続を超えると、判定結果を非衝突に変更し、第２判定部におけるＮは、Ｍよりも小さい。この場合、ＭよりもＮを小さくするので、誤って非衝突と判定される状況の発生を抑制できる。
【００８０】
第２判定部は、（１）過去の判定結果が非衝突である場合に、複数の仮判定結果に含まれる衝突の割合が第１しきい値より大きくなると、判定結果を衝突に変更し、（２）過去の判定結果が衝突である場合に、複数の仮判定結果に含まれる非衝突の割合が第２しきい値より大きくなると、判定結果を非衝突に変更し、第２判定部における第１しきい値は、第２しきい値よりも小さい。この場合、第２しきい値よりも第１しきい値を小さくするので、誤って非衝突と判定される状況の発生を抑制できる。
【符号の説明】
【００８１】
１０  基地局装置、  １２  車両、  １４  端末装置、  ２０  アンテナ、  ２２  ＲＦ部、  ２４  変復調部、  ２６  処理部、  ２８  制御部、  ３０  ネットワーク通信部、  ３２  フレーム規定部、  ３４  選択部、  ３６  生成部、  ５０  アンテナ、  ５２  ＲＦ部、  ５４  変復調部、  ５６  処理部、  ５８  制御部、  ６０  タイミング特定部、  ６２  転送決定部、  ６４  位置情報取得部、  ６６  生成部、  ７０  通知部、  ７２  抽出部、  ７４  キャリアセンス部、  ７６  第１判定部、  ７８  第２判定部、  １００  通信システム、  ２０２  ネットワーク、  ２１２  エリア、  ２１４  エリア外。
【図１】
0005866511.tif 000002
【図２】
0005866511.tif 000003
【図３】
0005866511.tif 000004
【図４】
0005866511.tif 000005
【図５】
0005866511.tif 000006
【図６】
0005866511.tif 000007
【図７】
0005866511.tif 000008
【図８】
0005866511.tif 000009
【図９】
0005866511.tif 000010
【図１０】
0005866511.tif 000011
【図１１】
0005866511.tif 000012
【図１２】
0005866511.tif 000013